(57)【要約】【課題】組立性向上および省スペースでの製造、また組立時間短縮が可能な貯湯式給湯機を得ることを目的とする。【解決手段】上部と下部と周側部とから構成されている貯湯タンクと、貯湯タンクの周側部を覆う保温材と、保温材に配管固定部品を介して取り付けられている配管部品と、保温材に設けられている設置脚部と、を備える。保温材は、配管固定部品を介して配管部品が取り付けられている第１保温材と、設置脚部が設けられている第２保温材とに、貯湯タンクの上下方向に２分割されてなる。【選択図】図３
2010270933.tif 000002
【特許請求の範囲】
【請求項１】
貯湯タンクを保温材で覆った貯湯式給湯機において、
上部と下部と周側部とから構成されている貯湯タンクと、
前記貯湯タンクの前記周側部を覆う保温材と、
前記保温材に配管固定部品を介して取り付けられている配管部品と、
前記保温材に設けられている設置脚部と、
を備え、
前記保温材は、前記配管固定部品を介して前記配管部品が取り付けられている第１保温材と、前記設置脚部が設けられている第２保温材とに、２分割されてなる、
ことを特徴とする貯湯式給湯機。
【請求項２】
前記貯湯タンクと前記第２保温材とには、相対位置を決める位置決め部がそれぞれ設けられている、
ことを特徴とする請求項１に記載の貯湯式給湯機。
【請求項３】
前記貯湯タンクの上部もしくは下部のうち少なくともいずれか一方には、配管接続口が設けられていて、
前記配管部品には、配管接続口が設けられていて、
前記貯湯タンク側の前記配管接続口と、前記配管部品側の前記配管接続口とは、２分割されている前記第１保温材と前記第２保温材との合わせ方向に向かい合わせ形状の状態で接続されるように配置されている、
ことを特徴とする請求項１または２に記載の貯湯式給湯機。
【発明の詳細な説明】
【技術分野】
【０００１】
本発明は、貯湯タンクを保温材で覆った貯湯式給湯機に関する。
【背景技術】
【０００２】
従来、貯湯タンクの周側部には保温や断熱のためグラスウール等の面状保温材を巻きつける構成のものや型成形により上下前後４方向から分割成形された発泡性成形保温材を用いているものが知られている。しかし、EPS（発泡ポリスチレン：Expanded Poly Styrene）製のような発泡性成形保温材は寸法精度が低いため各部品の確実な位置決めが困難であった。
【０００３】
そこで、例えば特許文献１に記載されている貯湯式給湯機が開示されている。この特許文献１に記載されている貯湯式給湯機は、発泡スチロール断熱材に、発泡工程で支持具を埋設し、その支持具に熱交換器やポンプなどを取り付けるものである。
【先行技術文献】
【特許文献】
【０００４】
【特許文献１】特開２００８−０５７７９４号公報
【発明の概要】
【発明が解決しようとする課題】
【０００５】
かかる貯湯式給湯機においては、組立性向上および省スペースでの製造、また組立時間の短縮化が重要課題である。しかしながら、特許文献１に記載されている貯湯式給湯機は、前記の重要課題が考慮されていないので、組立性向上および省スペースでの製造、また組立時間の短縮化において課題がある。
【０００６】
本発明は、上記の事情に鑑みてなされたものであり、組立性向上および省スペースでの製造、また組立時間短縮が可能な貯湯式給湯機を得ることを目的とする。
【課題を解決するための手段】
【０００７】
上述した課題を解決し、目的を達成するために、本発明は、貯湯タンクを保温材で覆った貯湯式給湯機において、上部と下部と周側部とから構成されている貯湯タンクと、前記貯湯タンクの前記周側部を覆う保温材と、前記保温材に配管固定部品を介して取り付けられている配管部品と、前記保温材に設けられている設置脚部と、を備え、前記保温材は、前記配管固定部品を介して前記配管部品が取り付けられている第１保温材と、前記設置脚部が設けられている第２保温材とに、前記貯湯タンクの上下方向に２分割されてなる、ことを特徴とする。
【発明の効果】
【０００８】
本発明によれば、組立性向上および製造スペースの省スペース化、また組立時間短縮化を図ることができる。
【図面の簡単な説明】
【０００９】
【図１】図１は、本発明の実施の形態で配管部品および第１保温材を示す斜視図である。
【図２】図２は、本発明の実施の形態で貯湯タンクおよび第２保温材を示す斜視図である。
【図３】図３は、本発明の実施の形態で貯湯タンクおよび第２保温材に配管部品および第１保温材を組み立てた状態を示す斜視図である。
【図４】図４は、本発明の実施の形態で配管部品側の配管接続口と貯湯タンク側の配管接続口との接続状態を示す斜視図である。
【発明を実施するための形態】
【００１０】
以下に、本発明にかかる貯湯式給湯機の実施の形態を図面に基づいて詳細に説明する。なお、この実施の形態によりこの発明が限定されるものではない。
【００１１】
実施の形態．
図１〜図４は、本発明にかかる貯湯式給湯機の実施の形態を示す。なお、図面は、概念図である。
【００１２】
以下、実施の形態にかかる貯湯式給湯機の構成について説明する。図において、符号１は、実施の形態にかかる貯湯式給湯機である。貯湯式給湯機１は、貯湯タンク２を保温材３で覆ってなるものであって、貯湯タンク２と、保温材３と、配管部品４と、を備えるものである。
【００１３】
貯湯タンク２は、図２および図３に示すように、上部５と下部６と周側部７とから構成されている中空状の円筒（円柱）形状をなすものである。なお、貯湯タンク２は、円筒形状以外の形状のものであっても良い。
【００１４】
貯湯タンク２の前記周側部７には、複数本（この例では２本）の位置決め凸部８が前記貯湯タンク２の上下方向（前記貯湯タンク２の中心軸方向）Ａに相互に平行に一体に設けられている。
【００１５】
貯湯タンク２の前記上部５には、複数本（この例では３本）の配管接続口９が設けられている。配管接続口９は、Ｌ字形状をなしている。配管接続口９の開口部は、上下方向Ａに対してほぼ直角をなし、図３の状態では鉛直上方を開口するような向きに設けられている。なお、配管接続口９は、貯湯タンク２の上部５以外に下部６に設けても良いし、上部５および下部６双方に設けても良い。
【００１６】
保温材３は、図１乃至図３に示すように、貯湯タンク２の周側部７を外側から覆う中空状の円筒（円柱）形状をなすものである。貯湯タンク２の中心軸と保温材３の中心軸とは、一致する。なお、保温材３は、貯湯タンク２の形状に合わせて、円筒形状以外の形状のものであっても良い。
【００１７】
保温材３は、貯湯タンク２の上下方向Ａに、第１保温材３１と第２保温材３２とに２等分割されている。第１保温材３１と第２保温材３２とは、それぞれ半円筒形状をなす。
【００１８】
第１保温材３１には、配管固定部品１０を介して配管部品４が取り付けられている。配管固定部品１０は、第１保温材３１にインサート成形などによりあらかじめ埋設されている。配管部品４は、配管固定部品１０に取り付けられている。配管部品４は、配管のみの場合と、または、配管とその配管に接続されている弁やポンプなどの機器とからなる場合とがある。
【００１９】
配管部品４は、Ｌ字形状をなしている。すなわち、配管部品４の先端部は、上下方向Ａ（第１保温材３１と第２保温材３２との分割面）に対してほぼ直角に折れ曲がっている。配管部品４の先端部には、配管接続口１１が設けられている。配管部品４側の配管接続口１１と、貯湯タンク２側の配管接続口９とは、２分割されている第１保温材３１と第２保温材３２との合わせ方向（上下方向Ａと直交する方向）Ｂに向かい合っている。
【００２０】
第２保温材３２のうち第１保温材３１との分割面と反対側の外周面側には、台形形状をなす設置脚部１２が第２保温材３２に一体に設けられている。また、第２保温材３２の内周面には、複数本（この例では２本）の位置決め凹部１３が位置決め凸部８と対応するように上下方向Ａに相互に平行に一体に設けられている。位置決め凹部１３と位置決め凸部８とは、相互に嵌合する凹凸形状をなす。
【００２１】
実施の形態にかかる貯湯式給湯機１は、以上のごとき構成からなり、以下、その組立工程（組付工程）について説明する。
【００２２】
まず、図１において、保温材３を２分割した一方の第１保温材３１を成形する。このとき、第１保温材３１中に配管固定部品１０をインサート成形などにより埋設する。配管固定部品１０に配管部品４を取り付ける。これにより、第１保温材３１と、配管固定部品１０と、配管部品４と、配管接続口１１と、から構成されている配管保温材組立ユニット１４が組み立てられる。
【００２３】
つぎに、図２において、保温材３を２分割した他方の第２保温材３２を成形する。第２保温材３２の設置脚部１２を床１５に設置して、第２保温材３２を床１５の上に上下方向Ａが横方向（水平方向）となるように配置する。第２保温材３２の内周面に、上下方向Ａを横方向にした貯湯タンク２を、上方向（第２保温材３２の分割面側の方向）から組み込む。このとき、貯湯タンク２の位置決め凸部８と第２保温材３２の位置決め凹部１３とが相互に嵌合することにより、貯湯タンク２と第２保温材３２とは、相互に位置決めされた状態で組み立てられる。すなわち、貯湯タンク２の配管接続口９は、保温材の合わせ方向Ｂに向いている。これにより、貯湯タンク２と、第２保温材３２と、から構成されている貯湯タンク保温材組立ユニット１６が組み立てられる。
【００２４】
つづいて、図３において、貯湯タンク保温材組立ユニット１６は、第２保温材３２の設置脚部１２を介して、床１５に上下方向Ａが横方向（水平方向）となるように配置されている。このとき、第２保温材３２の分割面（合わせ面）１７と、貯湯タンク２側の配管接続口９とは、保温材の合わせ方向Ｂの上方向に向いている。
【００２５】
それから、図３において、貯湯タンク保温材組立ユニット１６に配管保温材組立ユニット１４を上から組み付ける。このとき、配管保温材組立ユニット１４を、第１保温材３１の分割面（合わせ面）１８と配管部品４側の配管接続口１１とを保温材の合わせ方向Ｂの下方向に向けた状態で、すなわち、第２保温材３２の分割面１７と第１保温材３１の分割面１８とを保温材の合わせ方向Ｂに向かい合わせて、また、貯湯タンク２側の配管接続口９と配管部品４側の配管接続口１１とを保温材の合わせ方向Ｂに向かい合わせて、組み付ける。
【００２６】
そして、図４において、貯湯タンク２側の配管接続口９と配管部品４側の配管接続口１１とは、保温材の合わせ方向Ｂに向かい合わせた状態で接続される。これにより、に配管保温材組立ユニット１４と、貯湯タンク保温材組立ユニット１６と、から構成されている貯湯式給湯機１が組み立てられる。
【００２７】
実施の形態にかかる貯湯式給湯機１は、以上のようにして組み立てられ、以下、その効果について説明する。
【００２８】
実施の形態にかかる貯湯式給湯機１は、第１保温材３１に配管固定部品１０を介して配管部品４をあらかじめ取り付けてなるもの、すなわち、第１保温材３１と配管固定部品１０と配管部品４と配管接続口１１とから構成されている配管保温材組立ユニット１４があらかじめ組み立てられているものであるから、特許文献１に記載されている貯湯式給湯機のように、貯湯タンクを上下方向に起立状態にして配管部品を一つ一つ取り付ける必要がある貯湯式給湯機と比較して、組立性向上および省スペースでの製造、また組立時間短縮が可能な貯湯式給湯機を得ることが可能である。
【００２９】
また、実施の形態にかかる貯湯式給湯機１は、第２保温材３２を設置脚部１２により安定した状態で配置し、この状態で第２保温材３２に貯湯タンク２を組み立てることができるので、組立性向上を図ることができる。
【００３０】
さらに、実施の形態にかかる貯湯式給湯機１は、相互に組み立てた貯湯タンク２と第２保温材３２とから構成されている貯湯タンク保温材組立ユニット１６を設置脚部１２により安定した状態で配置し、この状態で貯湯タンク保温材組立ユニット１６にあらかじめ組み立てられている配管保温材組立ユニット１４を組み立てることができるので、組立性向上および製造スペースの省スペース化、また組立時間短縮化を図ることができる。
【００３１】
特に、実施の形態にかかる貯湯式給湯機１は、貯湯タンク２と第２保温材３２とに相対位置を決める位置決め凸部８と位置決め凹部１３とがそれぞれ設けられている。このために、実施の形態にかかる貯湯式給湯機１は、貯湯タンク２と第２保温材３２とを正確に組み立てることができる。すなわち、貯湯タンク２側の配管接続口９の向きを正確に位置させることができ、その分、組立性がさらに向上する。
【００３２】
しかも、実施の形態にかかる貯湯式給湯機１は、貯湯タンク２側の配管接続口９と配管部品４側の配管接続口１１とが２分割されている第１保温材３１と第２保温材３２との合わせ方向Ｂに向かい合わせ形状の状態で接続されるように配置されている。このために、実施の形態にかかる貯湯式給湯機１は、設置脚部１２により第２保温材３２の分割面１７と貯湯タンク２側の配管接続口９とが保温材の合わせ方向Ｂの上方向に向いている状態に配置されている貯湯タンク保温材組立ユニット１６に、第１保温材３１の分割面１８と配管部品４側の配管接続口１１とが保温材の合わせ方向Ｂの下方向に向いている状態の配管保温材組立ユニット１４を、上から組み付けるだけで、貯湯タンク２側の配管接続口９と配管部品４側の配管接続口１１とを簡単に接続することができる。これにより、実施の形態にかかる貯湯式給湯機１は、組立時間をさらに短縮化することができる。
【産業上の利用可能性】
【００３３】
以上のように、本発明にかかる貯湯式給湯機は、貯湯タンクを保温材で覆った貯湯式給湯機に有用である。
【符号の説明】
【００３４】
１  貯湯式給湯機
２  貯湯タンク
３  保温材
３１  第１保温材
３２  第２保温材
４  配管部品
５  上部
６  下部
７  周側部
８  位置決め凸部
９  配管接続口
１０  配管固定部品
１１  配管接続口
１２  設置脚部
１３  位置決め凹部
１４  配管保温材組立ユニット
１５  床
１６  貯湯タンク保温材組立ユニット
１７  第２保温材の分割面
１８  第１保温材の分割面
Ａ  上下方向
Ｂ  保温材の合わせ方向
【図１】
2010270933.tif 000003
【図２】
2010270933.tif 000004
【図３】
2010270933.tif 000005
【図４】
2010270933.tif 000006